(57)【特許請求の範囲】
【請求項１】
移動局装置と通信する基地局装置であって、
物理ランダムアクセスチャネルリソースから成り、異なる上りリンクコンポーネントキャリアに含まれる２つのセットを前記移動局装置に設定するランダムアクセス制御部と、
ランダムアクセス処理の開始を指示する情報を、１つの下りリンクコンポーネントキャリアを用いて前記移動局装置に送信する送信部と、
前記移動局装置が、前記基地局装置から受信した前記情報に基づいて、前記２つのセットのうちの１つの物理ランダムアクセスチャネルリソースを用いて送信したプリアンブルを受信する受信部と、を備え、
前記送信部は、前記プリアンブルに対するランダムアクセスレスポンスを送信し、
前記ランダムアクセスレスポンスは、前記プリアンブルが受信された上りリンクコンポーネントキャリアにおける物理上りリンク共用チャネルリソースの割り当てのために用いられる上りリンクグラントを含み、
前記情報は前記２つのセットのうちの１つを示す情報を含むことを特徴とする基地局装置。
【請求項２】
前記送信部は、前記プリアンブルが受信された上りリンクコンポーネントキャリアに対応する下りリンクコンポーネントキャリアにおいて、前記プリアンブルに対するランダムアクセスレスポンスを送信することを特徴とする請求項１に記載の基地局装置。
【請求項３】
基地局装置と通信する移動局装置であって、
物理ランダムアクセスチャネルリソースから成り、異なる上りリンクコンポーネントキャリアに含まれる２つのセットを設定するランダムアクセス処理部と、
１つの下りリンクコンポーネントキャリアを用いてランダムアクセス処理の開始を指示する情報を前記基地局装置から受信する受信部と、
前記情報に基づいて、前記２つのセットのうちの１つの物理ランダムアクセスチャネルリソースを用いてプリアンブルを送信する送信部と、を備え、
前記受信部は、前記プリアンブルに対するランダムアクセスレスポンスを受信し、
前記ランダムアクセスレスポンスは、前記プリアンブルが受信された上りリンクコンポーネントキャリアにおける物理上りリンク共用チャネルリソースの割り当てのために用いられる上りリンクグラントを含み、
前記情報は前記２つのセットのうちの１つを示す情報を含むことを特徴とする移動局装置。
【請求項４】
前記受信部は、前記プリアンブルを送信した上りリンクコンポーネントキャリアに対応する下りリンクコンポーネントキャリアにおいて、前記プリアンブルに対するランダムアクセスレスポンスを受信することを特徴とする請求項３に記載の移動局装置。
【請求項５】
移動局装置と通信する基地局装置に用いられる無線通信方法であって、
物理ランダムアクセスチャネルリソースから成り、異なる上りリンクコンポーネントキャリアに含まれる２つのセットを前記移動局装置に設定し、
ランダムアクセス処理の開始を指示する情報を、１つの下りリンクコンポーネントキャリアを用いて前記移動局装置に送信し、
前記移動局装置が、前記基地局装置から受信した前記情報に基づいて、前記２つのセットのうちの１つの物理ランダムアクセスチャネルリソースを用いて送信したプリアンブルを受信し、
前記プリアンブルに対するランダムアクセスレスポンスを送信し、
前記ランダムアクセスレスポンスは、前記プリアンブルが受信された上りリンクコンポーネントキャリアにおける物理上りリンク共用チャネルリソースの割り当てのために用いられる上りリンクグラントを含み、
前記情報は前記２つのセットのうちの１つを示す情報を含むことを特徴とする無線通信方法。
【請求項６】
基地局装置と通信する移動局装置に用いられる無線通信方法であって、
物理ランダムアクセスチャネルリソースから成り、異なる上りリンクコンポーネントキャリアに含まれる２つのセットを設定し、
１つの下りリンクコンポーネントキャリアを用いてランダムアクセス処理の開始を指示する情報を前記基地局装置から受信し、
前記情報に基づいて、前記２つのセットのうちの１つの物理ランダムアクセスチャネルリソースを用いてプリアンブルを送信し、
前記プリアンブルに対するランダムアクセスレスポンスを受信し、
前記ランダムアクセスレスポンスは、前記プリアンブルが受信された上りリンクコンポーネントキャリアにおける物理上りリンク共用チャネルリソースの割り当てのために用いられる上りリンクグラントを含み、
前記情報は前記２つのセットのうちの１つを示す情報を含むことを特徴とする無線通信方法。
【発明の詳細な説明】
【技術分野】
【０００１】
本発明は、基地局装置と移動局装置が、複数の上りリンクキャリア要素と下りリンクキャリア要素を使用して通信を行なう無線通信システム、基地局装置、移動局装置および無線通信方法に関する。
【背景技術】
【０００２】
従来から、セルラー移動通信の無線アクセス方式および無線ネットワークの進化（以下、「Long Term Evolution (LTE)、または、「Evolved Universal Terrestrial Radio Access (EUTRA)」と称する。）、および、ＬＴＥより広帯域な周波数帯域を利用して、さらに高速なデータの通信を実現する無線アクセス方式および無線ネットワーク（以下、「Long Term Evolution-Advanced (LTE-A)」、または、「Advanced Evolved Universal Terrestrial Radio Access (A-EUTRA)」と称する。）が、第三世代パートナーシッププロジェクト（3rd Generation Partnership Project; 3GPP）において検討されている。
【０００３】
ＬＴＥでは、基地局装置から移動局装置への無線通信（下りリンク）の通信方式として、マルチキャリア送信である直交周波数分割多重（Orthogonal Frequency Division Multiplexing; OFDM）方式が用いられる。また、移動局装置から基地局装置への無線通信（上りリンク）の通信方式として、シングルキャリア送信であるＳＣ−ＦＤＭＡ（Single-Carrier Frequency Division Multiple Access）方式が用いられる。
【０００４】
また、ＬＴＥにおいて、下りリンクでは、同期チャネル（Synchronization Channel; SCH）、報知チャネル（Physical Broadcast Channel; PBCH）、下りリンク制御チャネル（Physical Downlink Control Channel; PDCCH）、下りリンク共用チャネル（Physical Downlink Shared Channel; PDSCH）、マルチキャストチャネル（Physical Multicast Channel; PMCH）、制御フォーマットインディケータチャネル（Physical Control Format Indicator Channel; PCFICH）、ＨＡＲＱインディケータチャネル（Physical Hybrid automatic repeat request Indicator Channel; PHICH）が割り当てられる。また、上りリンクでは、上りリンク共用チャネル（Physical Uplink Shared Channel; PUSCH）、上りリンク制御チャネル（Physical Uplink Control Channel; PUCCH）、ランダムアクセスチャネル（Physical Random Access Channel; PRACH）が割り当てられる。
【０００５】
ランダムアクセスチャネルの使用目的は、上りリンクにおいて移動局装置と基地局装置間を同期させることと、上りリンクの無線リソースの割り当てを要求することである。移動局装置は、移動局装置と基地局装置の同期が外れている場合、移動局装置が基地局装置に上りリンク共用チャネルで送信するデータ情報がある場合、または、基地局装置が移動局装置にランダムアクセス処理を開始するよう下りリンク制御チャネルで通知した場合等にランダムアクセスを起動する。
【０００６】
ランダムアクセスには、Ｃｏｎｔｅｎｔｉｏｎ  ｂａｓｅｄ  Ｒａｎｄｏｍ  Ａｃｃｅｓｓと、Ｎｏｎ−ｃｏｎｔｅｎｔｉｏｎ  ｂａｓｅｄ  Ｒａｎｄｏｍ  Ａｃｃｅｓｓの２つのアクセス方法がある。Ｃｏｎｔｅｎｔｉｏｎ  ｂａｓｅｄ  Ｒａｎｄｏｍ  Ａｃｃｅｓｓは、移動局装置間で衝突する可能性のあるアクセス方法であり、通常行なわれるランダムアクセスである。Ｎｏｎ−ｃｏｎｔｅｎｔｉｏｎ  ｂａｓｅｄ  Ｒａｎｄｏｍ  Ａｃｃｅｓｓは、移動局装置間で衝突が発生しないアクセス方法であり、迅速に移動局装置と基地局装置間の同期をとるためにハンドオーバー等の特別な場合に基地局装置主導で行なわれるランダムアクセスである。
【０００７】
ランダムアクセスでは、同期をとるために移動局装置はプリアンブルのみ送信する。プリアンブルは、情報を表す信号パターンであるシグネチャが含まれ、数十種類のシグネチャを用意して数ビットの情報を表現することができる。現在では、移動局装置がプリアンブルを用いて６ビットの情報を送信することが想定され、６４種類のシグネチャが用意されることが想定されている。
【０００８】
図１６は、従来技術に係るＣｏｎｔｅｎｔｉｏｎ  ｂａｓｅｄ  Ｒａｎｄｏｍ  Ａｃｃｅｓｓの手順例を示す図である。まず、移動局装置１が、下りリンクのチャネル品質等から、選択するシグネチャの範囲を決定し、選択されたシグネチャの範囲の中からシグネチャをランダムに選択し、ランダムアクセスチャネルでプリアンブルを送信する（メッセージ１（Ｍ１））。
【０００９】
基地局装置３は、移動局装置１から送信されたプリアンブルを受信すると、プリアンブルから移動局装置１と基地局装置３間の同期タイミングのずれを算出し、移動局装置１がメッセージ３を送信するためのスケジューリング（上りリンクの無線リソース割り当て、送信フォーマット（メッセージサイズ）等の指定）を行なう。そして、基地局装置３は移動局装置１にＴｅｍｐｏｒａｒｙ  Ｃ−ＲＮＴＩ（Cell−Radio Network Temporary Identifier）を割り当て、下りリンク制御チャネルにプリアンブルを受信したランダムアクセスチャネルに対応するＲＡ−ＲＮＴＩ（Random Access-Radio Network Temporary Identifier）を配置し、下りリンク制御チャネルに含まれる無線リソース割り当てが示す下りリンク共用チャネルに同期タイミングのずれ情報、スケジューリング情報、Ｔｅｍｐｏｒａｒｙ  Ｃ−ＲＮＴＩおよび受信したプリアンブルのシグネチャの番号（ランダムID、またはプリアンブルIDとも呼称する。）を含んだランダムアクセスレスポンスを送信する（メッセージ２（Ｍ２））。
【００１０】
移動局装置１は、下りリンク制御チャネルにＲＡ−ＲＮＴＩが含まれていることを確認すると、下りリンク制御チャネルに含まれる無線リソース割り当てが示す下りリンク共用チャネルに配置されたランダムアクセスレスポンスの中身を確認する。そして、移動局装置１は自装置が送信したプリアンブルのシグネチャの番号が含まれる応答を抽出し、同期タイミングのずれを補正し、割り当てられた上りリンク共用チャネルの無線リソースと送信フォーマットで接続要求等の情報を含むメッセージ３を送信する（メッセージ３（Ｍ３））。
【００１１】
基地局装置３は、移動局装置１からのメッセージ３を受信すると、移動局装置１がランダムアクセスに成功したこと、つまり移動局装置１間でプリアンブルの衝突が起こっていない、又は移動局装置１間でプリアンブルの衝突が起こっている場合に、衝突に打ち勝ったことを示すコンテンションレゾリューションを移動局装置１に送信する（メッセージ４（Ｍ４））。
【００１２】
移動局装置１は、コンテンションレゾリューションの受信に成功すると、ランダムアクセスに成功したと判定し、ランダムアクセスに関する処理を終了する。尚、移動局装置１は、ランダムアクセスレスポンス受信期間内に送信したプリアンブルのシグネチャの番号を検出しなかった場合、又は、コンテンションレゾリューション受信期間内にコンテンションレゾリューションを検出しなかった場合に、プリアンブルの送信からやり直す。
【００１３】
図１７は、従来技術に係るＮｏｎ−ｃｏｎｔｅｎｔｉｏｎ  ｂａｓｅｄ  Ｒａｎｄｏｍ
Ａｃｃｅｓｓの手順例を示す図である。まず、基地局装置３が下りリンク制御チャネル等を用いて移動局装置１にシグネチャの番号とランダムアクセスチャネルの無線リソースを示す情報を通知する。移動局装置１は基地局装置３から通知された番号のシグネチャを含むプリアンブルを、基地局装置３から通知されたランダムアクセスチャネルでプリアンブルを送信する（メッセージ１（Ｎ１））。
【００１４】
基地局装置３は、移動局装置１に通知した番号のシグネチャを含むプリアンブルを受信すると、プリアンブルから移動局装置１と基地局装置３間の同期タイミングのずれを算出する。そして、下りリンク制御チャネルにプリアンブルを受信したランダムアクセスチャネルに対応するＲＡ−ＲＮＴＩを配置し、下りリンク制御チャネルに含まれる無線リソース割り当てが示す下りリンク共用チャネルに同期タイミングのずれ情報、および受信したプリアンブルのシグネチャの番号を含んだランダムアクセスレスポンスを送信する（メッセージ２（Ｎ２））。
【００１５】
移動局装置１は、下りリンク制御チャネルにＲＡ−ＲＮＴＩが含まれていることを確認すると、下りリンク制御チャネルに含まれる無線リソース割り当てが示す下りリンク共用チャネルに配置されたランダムアクセスレスポンスの中身を確認する。そして、移動局装置１は自装置が送信したプリアンブルのシグネチャの番号が含まれる場合、ランダムアクセスに成功したと判定し、ランダムアクセスに関する処理を終了する（非特許文献１  第５．１節参照）。
【００１６】
ＬＴＥ−Ａでは、ＬＴＥとの後方互換性(backward compatibility)を持つこと、つまり、ＬＴＥ−Ａの基地局装置が、ＬＴＥ−ＡおよびＬＴＥ両方の移動局装置と同時に無線通信を行い、また、ＬＴＥ−Ａの移動局装置が、ＬＴＥ−ＡおよびＬＴＥ両方の基地局装置と無線通信を行えるようにすることが求められており、ＬＴＥ−ＡはＬＴＥと同一のチャネル構造を用いることが検討されている。
【００１７】
例えば、ＬＴＥ−Ａでは、ＬＴＥと同一のチャネル構造の周波数帯域（以下、「キャリア要素（Carrier Component; CC）」、または、「コンポーネントキャリア（Component Carrier; CC）」と称する。）を複数用いて、１つの周波数帯域（広帯域な周波数帯域）として使用する技術（周波数帯域集約：Spectrum aggregation、Carrier aggregation、Frequency aggregation等とも称される。）が提案されている。
【００１８】
具体的には、周波数帯域集約を用いた通信では、下りリンクキャリア要素毎に、報知チャネル、下りリンク制御チャネル、下りリンク共用チャネル、マルチキャストチャネル、制御フォーマットインディケータチャネル、ＨＡＲＱインディケータチャネルを送信し、上りリンクキャリア要素毎に上りリンク共用チャネル、上りリンク制御チャネル、ランダムアクセスチャネルが割り当てられる。つまり、周波数帯域集約は、上りリンクと下りリンクにおいて、基地局装置と複数の移動局装置が上りリンク制御チャネル、上りリンク共用チャネル、下りリンク制御チャネル、下りリンク共用チャネル等を、複数のキャリア要素を用いて、複数のデータ情報や複数の制御情報を同時に送受信する技術である（非特許文献２  第５章参照）。
【先行技術文献】
【非特許文献】
【００１９】
【非特許文献１】"3GPP TS36.321 v8.5.0 (2009-03)", March 17, 2009.
【非特許文献２】"3GPP TR36.814 v1.0.2 (2009-03)", May, 2009.
【発明の概要】
【発明が解決しようとする課題】
【００２０】
しかしながら、従来の技術では、基地局装置と移動局装置は1組の上りリンクキャリア
要素と下りリンクキャリア要素で通信を行なっていたため、基地局装置が移動局装置に複数の上りリンクキャリア要素と下りリンクキャリア要素を割り当てた場合、下りリンクキャリア要素で送信されるランダムアクセス処理の開始を指示する下りリンク制御チャネルが、いずれの下りリンクキャリア要素に対応するランダムアクセスチャネルの無線リソース（ランダムアクセスリソース）でランダムアクセス処理の開始を指示しているかを示せないという問題があった。
【００２１】
本発明は上記の点に鑑みてなされたものであり、その目的は、基地局装置が複数の上りリンクキャリア要素と下りリンクキャリア要素を移動局装置に割り当て、いずれか１つの下りリンクキャリア要素で受信されるランダムアクセス処理の開始を指示する下りリンク制御チャネルが、いずれの下りリンクキャリア要素に対応するランダムアクセスチャネルの無線リソース（ランダムアクセスリソース）でのランダムアクセス処理の開始を指示しているかを移動局装置が判別することのできる無線通信システム、基地局装置、移動局装置および無線通信方法を提供することを目的とする。
【課題を解決するための手段】
【００２２】
（１）上記の目的を達成するために、本発明は、以下のような手段を講じた。すなわち、本発明の基地局装置は、移動局装置と通信する基地局装置であって、物理ランダムアクセスチャネルリソースから成り、異なる上りリンクコンポーネントキャリアに含まれる２つのセットを前記移動局装置に設定するランダムアクセス制御部と、ランダムアクセス処理の開始を指示する情報を、１つの下りリンクコンポーネントキャリアを用いて前記移動局装置に送信する送信部と、前記移動局装置が、前記基地局装置から受信した前記情報に基づいて、前記２つのセットのうちの１つの物理ランダムアクセスチャネルリソースを用いて送信したプリアンブルを受信する受信部と、を備え、前記送信部は、前記プリアンブルに対するランダムアクセスレスポンスを送信し、前記ランダムアクセスレスポンスは、前記プリアンブルが受信された上りリンクコンポーネントキャリアにおける物理上りリンク共用チャネルリソースの割り当てのために用いられる上りリンクグラントを含み、前記情報は前記２つのセットのうちの１つを示す情報を含むことを特徴としている。
【００２３】
（２）また、本発明の前記基地局装置において、前記送信部は、前記プリアンブルが受信された上りリンクコンポーネントキャリアに対応する下りリンクコンポーネントキャリアにおいて、前記プリアンブルに対するランダムアクセスレスポンスを送信することを特徴としている。
【００２４】
（３）また、本発明の移動局装置は、基地局装置と通信する移動局装置であって、物理ランダムアクセスチャネルリソースから成り、異なる上りリンクコンポーネントキャリアに含まれる２つのセットを設定するランダムアクセス処理部と、１つの下りリンクコンポーネントキャリアを用いてランダムアクセス処理の開始を指示する情報を前記基地局装置から受信する受信部と、前記情報に基づいて、前記２つのセットのうちの１つの物理ランダムアクセスチャネルリソースを用いてプリアンブルを送信する送信部と、を備え、前記受信部は、前記プリアンブルに対するランダムアクセスレスポンスを受信し、  前記ランダムアクセスレスポンスは、前記プリアンブルが受信された上りリンクコンポーネントキャリアにおける物理上りリンク共用チャネルリソースの割り当てのために用いられる上りリンクグラントを含み、前記情報は前記２つのセットのうちの１つを示す情報を含むことを特徴としている。
【００２５】
（４）また、本発明の移動局装置において、前記受信部は、前記プリアンブルを送信した上りリンクコンポーネントキャリアに対応する下りリンクコンポーネントキャリアにおいて、前記プリアンブルに対するランダムアクセスレスポンスを受信することを特徴としている。
【００２６】
（５）また、本発明の無線通信方法は、移動局装置と通信する基地局装置に用いられる無線通信方法であって、物理ランダムアクセスチャネルリソースから成り、異なる上りリンクコンポーネントキャリアに含まれる２つのセットを前記移動局装置に設定し、ランダムアクセス処理の開始を指示する情報を、１つの下りリンクコンポーネントキャリアを用いて前記移動局装置に送信し、前記移動局装置が、前記基地局装置から受信した前記情報に基づいて、前記２つのセットのうちの１つの物理ランダムアクセスチャネルリソースを用いて送信したプリアンブルを受信し、前記プリアンブルに対するランダムアクセスレスポンスを送信し、前記ランダムアクセスレスポンスは、前記プリアンブルが受信された上りリンクコンポーネントキャリアにおける物理上りリンク共用チャネルリソースの割り当てのために用いられる上りリンクグラントを含み、前記情報は前記２つのセットのうちの１つを示す情報を含むことを  を特徴としている。
【００２７】
（６）また、本発明の無線通信方法は、基地局装置と通信する移動局装置に用いられる無線通信方法であって、物理ランダムアクセスチャネルリソースから成り、異なる上りリンクコンポーネントキャリアに含まれる２つのセットを設定し、１つの下りリンクコンポーネントキャリアを用いてランダムアクセス処理の開始を指示する情報を前記基地局装置から受信し、前記情報に基づいて、前記２つのセットのうちの１つの物理ランダムアクセスチャネルリソースを用いてプリアンブルを送信し、前記プリアンブルに対するランダムアクセスレスポンスを受信し、前記ランダムアクセスレスポンスは、前記プリアンブルが受信された上りリンクコンポーネントキャリアにおける物理上りリンク共用チャネルリソースの割り当てのために用いられる上りリンクグラントを含み、前記情報は前記２つのセットのうちの１つを示す情報を含むことを特徴としている。
【発明の効果】
【００２８】
本発明によれば、移動局装置は、基地局装置から複数の上りリンクキャリア要素と下りリンクキャリア要素を割り当てられ、割り当てられた下りリンクのキャリア要素の内、いずれか１つの下りリンクキャリア要素で受信されるランダムアクセス処理の開始を指示する下りリンク制御チャネルが、いずれの下りリンクキャリア要素に対応するランダムアクセスチャネルの無線リソース（ランダムアクセスリソース）でのランダムアクセス処理の開始を指示しているかを判別することができる。
【図面の簡単な説明】
【００２９】
【図１】本発明の第１の実施形態に係る無線通信システムの概念図である。
【図２】本実施形態に係る周波数帯域集約処理の一例を示す図である。
【図３】本実施形態に係る下りリンクの無線フレームの構成の一例を示す概略図である。
【図４】本実施形態に係る上りリンクの無線フレームの構成の一例を示す概略図である。
【図５】本実施形態に係るシグネチャの構成の一例を示す概略図である。
【図６】本実施形態に係る基地局装置３の構成を示す概略ブロック図である。
【図７】本実施形態に係る移動局装置１の構成を示す概略ブロック図である。
【図８】本実施形態に係る下りリンク制御チャネルとランダムアクセスチャネルの関係を示す概念図である。
【図９】本実施形態に係る基地局装置３の動作の一例を示すフロー図である。
【図１０】本実施形態に係る移動局装置１の動作の一例を示すフロー図である。
【図１１】本発明の第２の実施形態に係る基地局装置７の構成を示す概略ブロック図である。
【図１２】本発明の第２の実施形態に係る移動局装置５の構成を示す概略ブロック図である。
【図１３】本実施形態に係る下りリンク制御チャネルとランダムアクセスチャネルの関係を示す概念図である。
【図１４】本実施形態に係る基地局装置７の動作の一例を示すフロー図である。
【図１５】本実施形態に係る移動局装置５の動作の一例を示すフロー図である。
【図１６】従来技術に係るＣｏｎｔｅｎｔｉｏｎ  ｂａｓｅｄ  Ｒａｎｄｏｍ  Ａｃｃｅｓｓの手順例を示す図である。
【図１７】従来技術に係るＮｏｎ−ｃｏｎｔｅｎｔｉｏｎ  ｂａｓｅｄ  Ｒｏｎｄｏｍ  Ａｃｃｅｓｓの手順例を示す図である。
【００３０】
（第１の実施形態）
以下、本発明の第１の実施形態について図面を参照して説明する。
【００３１】
図１は、本発明の第１の実施形態に係る無線通信システムの概念図である。図１において、無線通信システムは、移動局装置１Ａ〜１Ｃ、および基地局装置３を具備する。移動局装置１Ａ〜１Ｃと基地局装置３とは、後述する周波数帯域集約を用いた通信を行なう。
【００３２】
図１は、基地局装置３から移動局装置１Ａ〜１Ｃへの無線通信（下りリンク）では、同期チャネル（Synchronization Channel; SCH）、下りリンクパイロットチャネル（または、「下りリンクリファレンスシグナル（Downlink Reference Signal; DL RS）」とも称する。）、報知チャネル（Physical Broadcast Channel; PBCH）、下りリンク制御チャネル（Physical Downlink Control Channel; PDCCH）、下りリンク共用チャネル（Physical Downlink Shared Channel; PDSCH）、マルチキャストチャネル（Physical Multicast Channel; PMCH）、制御フォーマットインディケータチャネル（Physical Control Format Indicator Channel; PCFICH）、ＨＡＲＱインディケータチャネル（Physical Hybrid ARQ Indicator Channel; PHICH）が割り当てられることを示す。
【００３３】
また、図１は、移動局装置１Ａ〜１Ｃから基地局装置３への無線通信（上りリンク）では、上りリンクパイロットチャネル（または、「上りリンクリファレンスシグナル（Uplink Reference Signal; UL RS)」とも称する。）、上りリンク制御チャネル（Physical Uplink Control Channel; PUCCH）、上りリンク共用チャネル（Physical Uplink Shared Channel; PUSCH）、ランダムアクセスチャネル（Physical Random Access Channel; PRACH）が割り当てられることを示す。
【００３４】
図２は、本実施形態に係る周波数帯域集約処理の一例を示す図である。図２において、横軸は周波数領域、縦軸は時間領域を示す。図２に示すように、下りリンクのサブフレームＤ１は、２０ＭＨｚの帯域幅を持った３つのキャリア要素（DCC-1; Downlink Component Carrier-1、DCC-2、DCC-3）のサブフレームによって構成されている。この下りリンクキャリア要素のサブフレーム各々には、格子状の線でハッチングした領域が示す下りリンク制御チャネルが配置される領域と、ハッチングをしない領域が示す下りリンク共用チャネルが配置される領域が時間多重される。
【００３５】
一方、上りリンクのサブフレームＵ１は、２０ＭＨｚの帯域幅を持った３つのキャリア要素（UCC-1; Uplink Component Carrier-1、UCC-2、UCC-3）によって構成されている。この上りリンクキャリア要素のサブフレーム各々には、斜めの格子状の線でハッチングした領域が示す上りリンク制御チャネルが配置される領域と、左斜線でハッチングした領域が示す上りリンク共用チャネルが配置される領域と、黒色でハッチングした領域が示すランダムアクセスチャネルが配置される領域が周波数多重される。
【００３６】
例えば、基地局装置３は、ある下りリンクのサブフレームにおいて、３つの下りリンクキャリア要素のうち１つまたは複数の下りリンクキャリア要素の下りリンク共用チャネルに信号を配置して、移動局装置１へ送信する。また、移動局装置１は、ある上りリンクのサブフレームにおいて、３つの上りリンクキャリア要素のうち１つまたは複数の上りリンクキャリア要素の上りリンク共用チャネルに信号を配置して、基地局装置３へ送信する。また、移動局装置１は、ある上りリンクのサブフレームにおいて、３つの上りリンクキャリア要素の内、１つの上りリンクキャリア要素のランダムアクセスチャネル（ランダムアクセスリソース）にプリアンブルを配置して、基地局装置３へ送信する。
【００３７】
移動局装置１と基地局装置３がランダムアクセスのメッセージの一部、又は全部を送受信する上りリンクキャリア要素と下りリンクキャリア要素はペアになっており、基地局装置３は下りリンクキャリア要素各々で、下りリンクキャリア要素とペアになっている上りリンクキャリア要素を示す情報、および下りリンクキャリア要素が対応するランダムアクセスチャネルの構成やランダムアクセスの送信状況を示す情報等のランダムアクセス送信に関する情報を報知し、移動局装置１に通知する。
【００３８】
例えば、図２において、ＤＣＣ−１とＵＣＣ−１、ＤＣＣ−２とＵＣＣ−２、ＤＣＣ−３とＵＣＣ−３がランダムアクセスのメッセージを送受信するペアとなる場合、基地局装置３は下りリンクキャリア要素（DCC-1、DCC-2、DCC-3）各々で、下りリンクキャリア要素とペアになる上りリンクキャリア要素（UCC-1、UCC-2、UCC-3）を示す情報、および下りリンクキャリア要素が対応するランダムアクセスチャネルにおけるランダムアクセス送信に関する情報を報知する。移動局装置１がメッセージ１（プリアンブル）をＵＣＣ−１のランダムアクセスチャネルで送信した場合、基地局装置３と移動局装置１はメッセージ２（ランダムアクセスレスポンス）の送受信をＤＣＣ−１で行う。尚、１つまたはそれぞれの下りリンクキャリア要素で複数の下りリンクキャリア要素のランダムアクセス送信に関する情報を送信してもよい。
【００３９】
図３は、本実施形態に係る下りリンクの無線フレームの構成の一例を示す概略図である。図３は、ある下りリンクキャリア要素における無線フレームの構成を示す。図３において、横軸は時間領域、縦軸は周波数領域である。図３に示すように、下りリンクキャリア要素の無線フレームは、複数の下りリンクの物理リソースブロック（Physical Resource Block; PRB）ペア（例えば、図３の破線で囲まれた領域）から構成されている。この下りリンクの物理リソースブロックペアは、無線リソースの割り当て等の単位であり、予め決められた幅の周波数帯（PRB帯域幅; 180kHz）および時間帯（２個のスロット＝１個のサブフレーム; 1ms）からなる。
【００４０】
１個の下りリンクの物理リソースブロックペアは、時間領域で連続する２個の下りリンクの物理リソースブロック（PRB帯域幅×スロット）から構成される。１個の下りリンクの物理リソースブロック（図３において、太線で囲まれている単位）は、周波数領域において１２個のサブキャリア（15kHz）から構成され、時間領域において７個のＯＦＤＭシンボル（71μs）から構成される。
【００４１】
時間領域においては、７個のＯＦＤＭシンボル（71μs）から構成されるスロット（0.5ms）、２個のスロットから構成されるサブフレーム（1ms）、１０個のサブフレームから構成される無線フレーム（10ms）がある。周波数領域においては、下りリンクキャリア要素の帯域幅に応じて複数の下りリンクの物理リソースブロックが配置される。尚、１個のサブキャリア（15kHz）と１個のＯＦＤＭシンボル（71μs）から構成されるユニットを下りリンクのリソースエレメント（Resource Element; RE）と称する。
【００４２】
以下、下りリンクの無線フレーム内に割り当てられるチャネルについて説明をする。下りリンクの各サブフレームでは、例えば、下りリンク制御チャネルと、下りリンク共用チャネルと、下りリンクリファレンスシグナルとが割り当てられる。下りリンク制御チャネルはサブフレームの先頭のＯＦＤＭシンボルから配置され、下りリンク共用チャネルはサブフレームの残りのＯＦＤＭシンボルに配置される。下りリンクパイロットチャネルについては、説明の簡略化のため図３において図示を省略するが、下りリンクパイロットチャネルは周波数領域と時間領域において分散して配置される。
【００４３】
まず、下りリンク制御チャネルに配置する信号について説明をする。下りリンク制御チャネルには、下りリンクグラント（「Downlink grant」、または「Downlink assignment」とも称する。）、上りリンクグラント（Uplink grant）等、通信の制御に用いられる情報である下りリンク制御情報（Downlink Control Information; DCI）の信号が配置される。尚、下りリンク制御情報には複数のフォーマットがある。
【００４４】
尚、下りリンクグラントは、下りリンク共用チャネルに対する変調方式を示す情報、符号化方式を示す情報、無線リソースの割り当てを示す情報、ＨＡＲＱ（Hybrid Automatic Repeat Request）に関する情報等から構成される。また、上りリンクグラントは、上りリンク共用チャネルに対する変調方式を示す情報、符号化方式を示す情報、無線リソースの割り当てを示す情報、ＨＡＲＱに関する情報等から構成される。
【００４５】
尚、ＨＡＲＱとは、例えば、移動局装置１（基地局装置３）がデータ情報の復号の成否（ACK（ACKnowledgement; 肯定応答）／ＮＡＣＫ（Negative-ACKnowledgement; 否定応答））を基地局装置３（移動局装置１）に送信し、移動局装置１（基地局装置３）が誤りによりデータ情報を復号できない（NACK）場合に基地局装置３（移動局装置１）が信号を再送し、移動局装置１（基地局装置３）が再度受信した信号とすでに受信した信号との合成信号に対して復号処理を行なう技術である。
【００４６】
下りリンク制御情報には、下りリンク制御情報のビット系列から生成した巡回冗長検査（Cyclic Redundancy Check; CRC）符号（誤り検出符号）と、識別子とで排他的論理和を行なった系列を付加する。移動局装置１は、更に、この系列に対して同じ識別子で排他的論理和を行なうことで巡回冗長検査符号を取得することができる。つまり、移動局装置１は、下りリンク制御チャネルに含まれている識別子から下りリンク制御チャネルが自装置宛てに送信されたものかを判定することができる。
【００４７】
例えば、基地局装置３が移動局装置１に割り当てたＣ−ＲＮＴＩ（Cell-Radio Network Temporary Identifier）が下りリンク制御チャネルに含まれている場合、移動局装置１は下りリンク制御チャネルが自装置宛ての下りリンク共用チャネルの無線リソースの割り当てを示していると判定する。
【００４８】
基地局装置３が移動局装置１にランダムアクセス処理の開始を指示する場合、基地局装置３は、特定の領域を予め定められたコードポイント（例えば、フォーマットの種類を示すフラグが“１”、かつ無線リソースの割り当て方法を示すフラグが“０”、かつ無線リソースの割り当てを示す情報が全て“１”）にした特定のフォーマットの下りリンク制御情報と、ランダムアクセス処理の開始を指示する移動局装置１に割り当てたＣ−ＲＮＴＩを含む下りリンク制御チャネルを送信する。ランダムアクセス処理の開始を指示する下りリンク制御チャネルの当該特定の領域以外の領域は、シグネチャの番号を示す情報および下りリンクキャリア要素が対応するランダムアクセスチャネルの無線リソースの内、移動局装置１がプリアンブルを配置してもよいランダムアクセスチャネルの無線リソースを示す情報が含まれる。
【００４９】
基地局装置３は、ランダムアクセス処理を開始することができる特定の下りリンクキャリア要素に対応するランダムアクセスチャネルを移動局装置１各々に設定し、設定した当該情報を無線リソース制御信号（Radio Resource Control signal）などで移動局装置１に通知する。尚、基地局装置３は、当該情報を全ての移動局装置間で共通にし、当該情報を報知してもよい。
【００５０】
次に、下りリンク共用チャネルに配置する信号について説明をする。下りリンク共用チャネルには、データ情報（トランスポートブロック; Transport Block）の信号が配置される。本実施形態では、下りリンクグラントと下りリンクグラントにより無線リソースの割り当てを示された下りリンク共用チャネルは同じサブフレームに配置される。
【００５１】
図４は、本実施形態に係る上りリンクの無線フレームの構成の一例を示す概略図である。図４は、ある上りリンクキャリア要素における無線フレームの構成を示す。図４において、横軸は時間領域、縦軸は周波数領域である。図４に示すように、上りリンクキャリア要素の無線フレームは、複数の上りリンクの物理リソースブロックペア（例えば、図４の破線で囲まれた領域）から構成されている。この上りリンクの物理リソースブロックペアは、無線リソースの割り当て等の単位であり、予め決められた幅の周波数帯（PRB帯域幅;180kHz）および時間帯（２個のスロット＝１個のサブフレーム; 1ms）からなる。
【００５２】
１個の上りリンクの物理リソースブロックペアは、時間領域で連続する２個の上りリンクの物理リソースブロック（PRB帯域幅×スロット）から構成される。１個の上りリンクの物理リソースブロック（図４において、太線で囲まれている単位）は、周波数領域において１２個のサブキャリア（15kHz）から構成され、時間領域において７個のＳＣ−ＦＤＭＡシンボル（71μs）から構成される。
【００５３】
時間領域においては、７個のＳＣ−ＦＤＭＡシンボル（71μs）から構成されるスロット（0.5ms）、２個のスロットから構成されるサブフレーム（1ms）、１０個のサブフレームから構成される無線フレーム（10ms）がある。周波数領域においては、上りリンクキャリア要素の帯域幅に応じて複数の上りリンクの物理リソースブロックが配置される。尚、１個のサブキャリア（15kHz）と１個のＳＣ−ＦＤＭＡシンボル（71μs）から構成されるユニットを上りリンクのリソースエレメントと称する。
【００５４】
以下、上りリンクの無線フレーム内に割り当てられるチャネルについて説明をする。上りリンクの各サブフレームでは、例えば、上りリンク制御チャネル、上りリンク共用チャネル、ランダムアクセスチャネル、および上りリンクリファレンスシグナルが割り当てられる。まず、ランダムアクセスチャネルに配置される信号について説明をする。ランダムアクセスチャネル（図示せず）は、周波数領域において７２個の上りリンクのリソースエレメント（物理リソースブロック６つ分）の帯域幅、時間領域において１つのサブフレームから３つのサブフレームのいずれかで構成される無線リソースに配置される。
【００５５】
また、ランダムアクセスチャネルのサブキャリア間隔は１．２５ｋＨｚ、または７．５ｋＨｚであり、上りリンク制御チャネルや上りリンク共用チャネルのサブキャリア間隔（15kHz）と異なる。ランダムアクセスチャネルの無線リソースは、無線フレーム（10ms）内に複数割り当てられる。具体的なランダムアクセスチャネルの無線リソースの構成は報知情報として、移動局装置１に通知される。
【００５６】
ランダムアクセスチャネルには、移動局装置１と基地局装置３が同期をとるためにプリアンブルが配置される。プリアンブルは、情報を表す信号パターンであるシグネチャが含まれ、数十種類のシグネチャが用意され数ビットの情報を表現することができる。
【００５７】
図５は、本実施形態に係るシグネチャの構成の一例を示す概略図である。図５において、縦軸はシグネチャの番号であり、シグネチャ１番からシグネチャ４８番までのシグネチャはＣｏｎｔｅｎｔｉｏｎ  ｂａｓｅｄ  Ｒａｎｄｏｍ  Ａｃｃｅｓｓに用いられ、シグネチャ４９番からシグネチャ６４番までのシグネチャはＮｏｎ−ｃｏｎｔｅｎｔｉｏｎ  ｂａｓｅｄ  Ｒａｎｄｏｍ  Ａｃｃｅｓｓに用いられる。
【００５８】
ランダムアクセスの方法としてＣｏｎｔｅｎｔｉｏｎ  ｂａｓｅｄ  Ｒａｎｄｏｍ  Ａｃｃｅｓｓを行なう移動局装置３各々は、メッセージ３の送信サイズが小さい場合にシグネチャ１番から２４番までからランダムにシグネチャを選択し、メッセージ３の送信サイズが大きい場合にシグネチャの２５番から４８番までからランダムにシグネチャを選択する。メッセージサイズが小さい場合のシグネチャは、通常、伝搬路の特性が悪い（または、移動局装置１と基地局装置３間の距離が遠い）場合に選択され、メッセージサイズが大きい場合のシグネチャは、伝搬路の特性が良い（または、移動局装置１と基地局装置３間の距離が近い）場合に選択される。
【００５９】
ランダムアクセスの方法としてＮｏｎ−ｃｏｎｔｅｎｔｉｏｎ  ｂａｓｅｄ  Ｒａｎｄｏｍ  Ａｃｃｅｓｓを行なう移動局装置１は、基地局装置３がシグネチャ４９番からシグネチャ６４番までのシグネチャの中から選択した、いずれか１つのシグネチャを下りリンク制御チャネル等で通知される。尚、ランダムアクセス処理の開始を指示する下りリンク制御チャネルのシグネチャの番号を示す情報が特定のコードポイント（例えば、全て“０”）の場合、移動局装置１はＣｏｎｔｅｎｔｉｏｎ  ｂａｓｅｄ  Ｒａｎｄｏｍ  Ａｃｃｅｓｓを行なう。基地局装置３は、移動局装置１にランダムアクセス処理の開始を指示する下りリンク制御チャネルを送信するが、移動局装置１に割り当てることのできるＮｏｎ−ｃｏｎｔｅｎｔｉｏｎ  ｂａｓｅｄ  Ｒａｎｄｏｍ  Ａｃｃｅｓｓ用のシグネチャがない場合などに、ランダムアクセス処理の開始を指示する下りリンク制御チャネルでＣｏｎｔｅｎｔｉｏｎ  ｂａｓｅｄ  Ｒａｎｄｏｍ  Ａｃｃｅｓｓを開始するよう移動局装置に通知する。
【００６０】
次に、上りリンク制御チャネルに配置される信号について説明をする。上りリンク制御チャネルは、上りリンクキャリア要素の帯域幅の両端の上りリンクの物理リソースブロックペア（左斜線でハッチングされた領域）に割り当てられる。上りリンク制御チャネルには、下りリンクのチャネル品質を示すチャネル品質情報、上りリンクの無線リソースの割り当ての要求を示すスケジューリング要求（Scheduling Request; SR）、下りリンク共用チャネルに対するＡＣＫ／ＮＡＣＫなど、通信の制御に用いられる情報である上りリンク制御情報（Uplink Control Information; UCI）の信号が配置される。
【００６１】
次に、上りリンク共用チャネルに配置される信号について説明をする。上りリンク共用チャネルは、上りリンク制御チャネルとランダムアクセスチャネル以外の上りリンクの物理リソースブロックペア（ハッチングされない領域）に割り当てられる。上りリンク共用チャネルには、上りリンク制御情報以外の情報であるデータ情報（トランスポートブロック;Transport Block）の信号が配置される。本実施形態では、上りリンクグラントにより無線リソースの割り当てを示された上りリンク共用チャネルは、上りリンクグラントを受信してから予め定められた期間後のサブフレーム内の上りリンクキャリア要素に配置される。
【００６２】
次に、上りリンクリファレンスシグナルについて説明をする。復調リファレンスシグナル（図示せず）は、上りリンク共用チャネル、および上りリンク制御チャネルの無線リソースと時間多重されるように配置される。サウンディングリファレンスシグナル（図示せず）は、時間領域において、基地局装置３が移動局装置１毎に設定した周期のサブフレームにおいて最後のＳＣ−ＦＤＭＡシンボルに配置され、周波数領域において、基地局装置３が移動局装置１毎に設定した周波数領域に配置される。
【００６３】
図６は、本実施形態に係る基地局装置３の構成を示す概略ブロック図である。図示するように、基地局装置３は、上位層処理部１０１、プリアンブル検出部１０３、同期タイミング測定部１０５、制御部１０７、受信処理部１０９、複数の受信アンテナ、送信処理部１１１、および、複数の送信アンテナ、を含んで構成される。また、上位層処理部１０１は、無線リソース制御部１０１１とランダムアクセス制御部１０１２を含んで構成される。尚、図６では、受信アンテナと送信アンテナとを別の構成としたが、信号の入出力を切り替える作用のあるサイリスタなどを用いてアンテナを共有するようにしてもよい。
【００６４】
上位層処理部１０１は、下りリンクキャリア要素毎のデータ情報を、送信処理部１１１に出力する。また、上位層処理部１０１は、パケットデータ統合プロトコル（Packet Data Convergence Protocol; PDCP）層、無線リンク制御（Radio Link Control; RLC）層、無線リソース制御（Radio Resource Control; RRC）層の処理を行なう。上位層処理部１０１の無線リソース制御部１０１１は、移動局装置１各々の各種設定情報、通信状態、および、バッファ状況の管理などを行っている。上位層処理部１０１のランダムアクセス制御部１０１２は、移動局装置１各々のランダムアクセスに関する制御を行なっている。
【００６５】
上記の処理において、上位層処理部１０１が備える無線リソース制御部１０１１は、基地局装置３が無線通信に用いることのできる下りリンクキャリア要素と上りリンクキャリア要素の数、および移動局装置１が同時に送信、または受信することのできる下りリンクキャリア要素と上りリンクキャリア要素の数などに応じて、複数の上りリンクキャリア要素と下りリンクキャリア要素を移動局装置１に割り当てる。
【００６６】
無線リソース制御部１０１１は、各下りリンクキャリア要素の各チャネルに配置する情報を生成、または上位ノードから取得し、下りリンクキャリア要素毎に送信処理部１１１に出力する。例えば、無線リソース制御部１０１１は、下りリンク制御情報、データ情報の一種であるランダムアクセスレスポンスを生成し、送信処理部１１１に出力する。
【００６７】
無線リソース制御部１０１１は、移動局装置１に割り当てた上りリンクキャリア要素の無線リソースの中から、移動局装置１が上りリンク共用チャネル（データ情報）を配置する無線リソースを移動局装置１に割り当てる。また、無線リソース制御部１０１１は、移動局装置１に割り当てた下りリンクキャリア要素の無線リソースの中から、移動局装置１に対する下りリンク共用チャネル（データ情報）を配置する無線リソースを割り当てる。無線リソース制御部１０１１は、当該無線リソースの割り当てを示す下りリンクグラントと上りリンクグラントを生成し、送信処理部１１１を介して移動局装置１に送信する。また、無線リソース制御部１０１１は、当該下りリンクグラントと上りリンクグラントに、下りリンクグラントまたは上りリンクグラントが対応する移動局装置１に割り当てたＣ−ＲＮＴＩを含める。
【００６８】
無線リソース制御部１０１１は、ランダムアクセス制御部１０１２からの制御情報に基づいて、ランダムアクセス処理の開始を指示する下りリンク制御チャネルを生成する。無線リソース制御部１０１１は、ランダムアクセス処理の開始を指示する移動局装置１に割り当てた下りリンクキャリア要素のチャネル品質や下りリンク制御チャネルのオーバーヘッドなどに基づき、任意の１つの下りリンクキャリア要素を選択し、選択した下りリンクキャリア要素でランダムアクセス処理の開始を指示する下りリンク制御チャネルを、送信処理部１１１を介して移動局装置１に送信する。また、無線リソース制御部１０１１は、ランダムアクセス処理の開始を指示する下りリンク制御チャネルに、当該下りリンク制御チャネルが対応する移動局装置１に割り当てた下りリンクキャリア要素に対応するランダムアクセスチャネルの無線リソースを示す情報、シグネチャの番号を示す情報、およびＣ−ＲＮＴＩを含める。
【００６９】
無線リソース制御部１０１１は、ランダムアクセス制御部１０１２からの制御情報に基づいて、１つの下りリンクキャリア要素を選択し、選択した下りリンクキャリア要素内の無線リソースの中からランダムアクセスレスポンスを配置する無線リソースを割り当てる。また、無線リソース制御部１０１１は、当該無線リソースの割り当てを示す下りリンクグラントに、ランダムアクセス制御部１０１２から入力されたＲＡ−ＲＮＴＩを含める。
【００７０】
無線リソース制御部１０１１は、ランダムアクセス制御部１０１２からの制御情報に基づいて、１つの上りリンクキャリア要素を選択し、選択した上りリンクキャリア要素内の無線リソースの中からメッセージ３を配置する無線リソースを割り当てる。また、無線リソース制御部１０１１は、当該無線リソースの割り当てを示す上りリンクグラントを生成し、ランダムアクセスレスポンスに含め、送信処理部１１１を介して移動局装置１に送信する。尚、ランダムアクセスレスポンスに含まれる上りリンクグラントは、巡回冗長検査符号と移動局装置識別子が含まれない。ランダムアクセスレスポンスには、ランダムアクセス制御部１０１２から入力された複数のシグネチャ各々に対する同期タイミングのずれ量とＴｅｍｐｏｒａｒｙ  Ｃ−ＲＮＴＩと、無線リソース制御部１０１１が生成した上りリンクグラントが含まれている。
【００７１】
無線リソース制御部１０１１は、移動局装置１から上りリンク制御チャネルで通知された上りリンク制御情報（ACK/NACK、チャネル品質情報、スケジューリング要求）、および移動局装置１のバッファの状況や無線リソース制御部１０１１が設定した移動局装置１各々の各種設定情報に基づき、受信処理部および送信処理部の制御を行なうために制御情報を生成し、制御部に出力する。
【００７２】
上記の処理において、上位層処理部１０１が備えるランダムアクセス制御部１０１２は、メッセージの一部、または全部を送受信する上りリンクキャリア要素と下りリンクキャリア要素のペア、上りリンクキャリア要素内のランダムアクセスチャネルの構成（ランダムアクセスチャネルの無線リソースの割り当てなど）やランダムアクセスの送信状況を示す情報（ランダムアクセス負荷）などのランダムアクセスに関する情報を含む報知情報、ランダムアクセスレスポンス、コンテンションレゾリューションなどを生成し、送信処理部１１１を介して移動局装置１に送信するよう、無線リソース制御部１０１１に制御情報を出力する。
【００７３】
ランダムアクセス制御部１０１２は、ランダムアクセスの送信状況や上りリンクキャリア要素のチャネル品質などに基づいて移動局装置１各々にランダムアクセス処理を開始することができる特定の下りリンクキャリア要素に対応するランダムアクセスチャネルを設定し、設定した特定の下りリンクキャリア要素を示す情報を生成し、当該情報を無線リソース制御信号などに含め、送信処理部１１１を介して移動局装置１各々に送信するよう、無線リソース制御部１０１１に制御情報を出力する。
【００７４】
ランダムアクセス制御部１０１２は、移動局装置１に送信するデータ情報があるが、基地局装置３と移動局装置１間の同期がはずれている場合などに、移動局装置１にランダムアクセス処理の開始を指示することを決定する。ランダムアクセス制御部は、移動局装置１に設定した特定の下りリンクキャリア要素に対応するランダムアクセスチャネルの無線リソースとシグネチャを割り当てる。ランダムアクセス制御部１０１２は、移動局装置１にランダムアクセス処理の開始を指示する下りリンク制御チャネルを生成し、送信処理部１１１に出力するよう、無線リソース制御部１０１１に制御情報を出力する。
【００７５】
ランダムアクセス制御部１０１２は、プリアンブル検出部１０３から入力された、ランダムアクセスチャネルの情報とシグネチャの番号と同期タイミングのずれ量に基づき、シグネチャの番号と同期タイミングのずれ量を無線リソース制御部１０１１に出力し、無線リソース制御部１０１１にランダムアクセスレスポンスを生成するよう、無線リソース制御部１０１１に制御情報を出力する。また、ランダムアクセス制御部１０１２は、プリアンブル検出部１０３から入力されたシグネチャを検出したランダムアクセスチャネルの情報から、ＲＡ−ＲＮＴＩを算出し、無線リソース制御部１０１１に出力する。
【００７６】
ランダムアクセス制御部１０１２は、プリアンブル検出部１０３から入力されたシグネチャを検出したランダムアクセスチャネルの情報に基づき、プリアンブルが検出された上りリンクキャリア要素とペアの下りリンクキャリア要素を選択し、選択した下りリンクキャリア要素でランダムアクセスレスポンスを送信するよう、無線リソース制御部１０１１に制御情報を出力する。また、ランダムアクセス制御部１０１２は、プリアンブルが検出された上りリンクキャリア要素を選択し、選択した上りリンクキャリア要素の無線リソースの中からメッセージ３を送信する無線リソースを割り当てるよう、無線リソース制御部１０１１に制御情報を出力する。
【００７７】
ランダムアクセス制御部１０１２は、ランダムアクセスレスポンスで無線リソースを割り当てたメッセージ３を送信した移動局装置３に対して、下りリンクキャリア要素でコンテンションレゾリューションを送信するよう、無線リソース制御部１０１１に制御情報を出力する。
【００７８】
制御部１０７は、上位層処理部１０１からの制御情報に基づいて、受信処理部１０９、および送信処理部１１１の制御を行なう制御信号を生成する。制御部１０７は、生成した制御信号を受信処理部１０９、および送信処理部１１１に出力して受信処理部１０９、および送信処理部１１１の制御を行なう。
【００７９】
受信処理部１０９は、制御部から入力された制御信号に従って、受信アンテナを介して移動局装置１から受信した受信信号を分離、復調、復号し、復号した情報を上位層処理部１０１に出力する。また、受信処理部１０９は、分離した上りリンクリファレンスシグナルを同期タイミング測定部１０５に出力し、分離したランダムアクセスチャネルをプリアンブル検出部１０３に出力する。
【００８０】
具体的には、受信処理部１０９は、各受信アンテナを介して受信した各上りリンクキャリア要素の信号を、中間周波数に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。受信処理部１０９は、変換したディジタル信号からガードインターバル（Guard Interval; GI）に相当する部分を除去する。受信処理部１０９は、ガードインターバルを除去した信号に対して高速フーリエ変換（Fast Fourier Transform; FFT）を行い、周波数領域の信号を抽出する。
【００８１】
受信処理部１０９は、抽出した信号を上りリンクキャリア要素毎に、ランダムアクセスチャネル、上りリンク制御チャネル、上りリンク共用チャネル、デモジュレーションリファレンスシグナルおよびサウンディングリファレンスシグナルに配置された信号に、それぞれ分離する。尚、この分離は、予め基地局装置３が決定して各移動局装置１に通知した無線リソースの割当情報に基づいて行われる。また、受信処理部１０９は、分離した上りリンクリファレンスシグナルから伝搬路の推定値を求め、上りリンク制御チャネルと上りリンク共用チャネルの伝搬路の補償を行なう。
【００８２】
受信処理部１０９は、分離したランダムアクセスチャネルをプリアンブル検出部１０３に出力し、分離した上りリンクリファレンスシグナルを同期タイミング測定部１０５に出力する。受信処理部１０９は、上りリンク共用チャネルを逆離散フーリエ変換（Inverse Discrete Fourier Transform; IDFT）し、変調シンボルを取得し、上りリンク制御チャネルと上りリンク共用チャネルの変調シンボルそれぞれに対して、２位相偏移変調（Binary Phase Shift Keying; BPSK）、４相位相偏移変調（Quadrature Phase Shift Keying; QPSK）、１６値直交振幅変調（16Quadrature Amplitude Modulation;16QAM）、６４値直交振幅変調（64Quadrature Amplitude Modulation; 64QAM）等の予め定められた、または基地局装置３が移動局装置１各々に上りリンクグラントで予め通知した変調方式を用いて受信信号の復調を行なう。
【００８３】
受信処理部１０９は、復調した上りリンク制御チャネルと上りリンク共用チャネルの符号化ビットを、予め定められた符号化方式の、予め定められた、または基地局装置３が移動局装置１に上りリンクグラントで予め通知した符号化率で復号を行ない、データ情報と、上りリンク制御情報を上位層処理部１０１へ出力する。受信処理部１０９は、移動局装置１から受信した上りリンクリファレンスシグナルや上りリンク共用チャネルの受信信号の電力などを測定し、上りリンクキャリア要素のチャネルの受信品質を測定し、上位層処理部１０１に出力する。
【００８４】
プリアンブル検出部１０３は、受信処理部１０９から入力されたランダムアクセスチャネルの無線リソースから複数のプリアンブルを検出し、プリアンブル各々から同期タイミングずれ量を算出し、シグネチャを検出したランダムアクセスチャネルの情報とシグネチャの番号と同期タイミングのずれ量を上位層処理部１０１に出力する。また、定期的にプリアンブルの受信数から移動局装置１のランダムアクセス送信状況も上位層処理部１０１に通知する。同期タイミング測定部１０５は、同期維持のために受信処理部１０９から入力された上りリンクリファレンスシグナルを測定して、同期タイミングのずれを測定し、測定結果を上位層処理部１０１に報告する。
【００８５】
送信処理部１１１は、制御部１０７から入力された制御信号に従って、下りリンクリファレンスシグナルを生成し、上位層処理部１０１から入力されたデータ情報、下りリンク制御情報を符号化、および変調し、下りリンク制御チャネル、および下りリンク共用チャネルに配置し、生成した下りリンクリファレンスシグナルと多重して、送信アンテナを介して移動局装置１に信号を送信する。
【００８６】
具体的には、送信処理部１１１は、上位層処理部１０１から入力された下りリンクキャリア要素各々の下りリンク制御情報、およびデータ情報を、制御部１０７から入力された制御信号に従って、ターボ符号化、畳込み符号化、ブロック符号化等の符号化を行い、符号化ビットをＱＰＳＫ、１６ＱＡＭ、６４ＱＡＭ等の変調方式で変調する。また、基地局装置３を識別するためのセル識別子（Cell ID）などを基に予め定められた規則で求まる、移動局装置１が既知の系列を下りリンクリファレンスシグナルとして生成し、下りリンク制御チャネルと下りリンク共用チャネルと下りリンクリファレンスシグナルを多重する。
【００８７】
送信処理部１１１は、多重した変調シンボルを逆高速フーリエ変換（Inverse Fast Fourier Transform; IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート）し、余分な周波数成分を除去し、電力増幅し、送信アンテナに出力して送信する。
【００８８】
図７は、本実施形態に係る移動局装置１の構成を示す概略ブロック図である。図示するように、移動局装置１は、上位層処理部２０１、制御部２０３、受信処理部２０５、複数の受信アンテナ、プリアンブル生成部２０７、送信処理部２０９、および、複数の送信アンテナ、を含んで構成される。また、上位層処理部２０１は、無線リソース制御部２０１１とランダムアクセス処理部２０１２を含んで構成される。尚、図７では、受信アンテナと送信アンテナとを別の構成としたが、信号の入出力を切り替える作用のあるサイリスタなどを用いてアンテナを共有するようにしてもよい。
【００８９】
上位層処理部２０１は、ユーザの操作等により生成された上りリンクキャリア要素毎のデータ情報を、送信処理部２０９に出力する。また、上位層処理部２０１は、パケットデータ統合プロトコル層、無線リンク制御層、無線リソース制御層の処理を行なう。上位層処理部２０１が備える無線リソース制御部２０１１は、自装置の各種設定情報、通信状態、および、バッファ状況の管理などを行っている。上位層処理部２０１のランダムアクセス処理部２０１２は、自装置のランダムアクセスに関する制御を行なっている。
【００９０】
上記の処理において、上位層処理部２０１が備える無線リソース制御部２０１１は、自装置が割り当てられた下りリンクキャリア要素と上りリンクキャリア要素、Ｃ−ＲＮＴＩなどの各種設定情報の管理を行なう。また、無線リソース制御部２０１１は、各上りリンクキャリア要素の各チャネルに配置する情報を生成し、上りリンクキャリア要素毎に送信処理部２０９に出力する。例えば、無線リソース制御部２０１１は、ランダムアクセスレスポンスでメッセージ３の無線リソースを割り当てられた場合、メッセージ３で送信する情報を生成し、送信処理部２０９に出力する。
【００９１】
無線リソース制御部２０１１は、基地局装置３から下りリンク制御チャネルで通知された下りリンク制御情報（例えば、下りリンクグラント、上りリンクグラント）や、ランダムアクセスで通知されたメッセージ３に対する上りリンクグラント、無線リソース制御部２０１１が管理する自装置の各種設定情報に基づき、受信処理部２０５、および送信処理部２０９の制御を行なうために制御情報を生成し、制御部２０３に出力する。
【００９２】
上記の処理において、上位層処理部２０１が備えるランダムアクセス処理部２０１２は、基地局装置３が報知する、ランダムアクセスに関するメッセージの一部、または全部を送受信する上りリンクキャリア要素と下りリンクキャリア要素のペア、下りリンクキャリア要素が対応するランダムアクセスチャネルの構成やランダムアクセスの送信状況を示す情報などのランダムアクセスに関する情報、および基地局装置３から通知される、ランダムアクセス処理を開始することができる特定の下りリンクキャリア要素に対応するランダムアクセスチャネルを示す情報を管理している。ランダムアクセス処理部２０１２は、自装置が基地局装置３からランダムアクセス処理の開始を指示する下りリンク制御チャネルを受信した場合、および上りリンクで送信するデータ情報があるが、基地局装置３から上りリンクの無線リソースを割り当てられていない場合、ランダムアクセスを開始する。
【００９３】
ランダムアクセス処理部２０１２は、基地局装置３からの下りリンク制御チャネルでランダムアクセスを開始するよう指示され、シグネチャの番号と、下りリンクキャリア要素に対応するランダムアクセスチャネルの無線リソースを指定された場合、基地局装置３に設定された特定の下りリンクキャリア要素に対応するランダムアクセスチャネルの無線リソースの中から、ランダムアクセス処理の開始を指示する下りリンク制御チャネルで指定されたランダムアクセスチャネルとシグネチャを選択する。
【００９４】
また、ランダムアクセス処理部２０１２は、ランダムアクセス処理の開始を指示する下りリンク制御チャネルでシグネチャの番号とランダムアクセスチャネルの無線リソースを指定されていない場合、またはランダムアクセス処理部２０１２がランダムアクセス処理の開始を決定した場合、基地局装置３に設定されたランダムアクセス処理を開始することができる特定の下りリンクキャリア要素に対応するランダムアクセスチャネルの無線リソースの中からランダムに無線リソースを選択し、下りリンクのチャネル品質の情報などから、選択するＣｏｎｔｅｎｔｉｏｎ  ｂａｓｅｄ  Ｒａｎｄｏｍ  Ａｃｃｅｓｓ用のシグネチャの範囲を決定し、選択したシグネチャの範囲の中からシグネチャをランダムに選択する。これにより、移動局装置１は、基地局装置３が上りリンクキャリア要素のチャネル品質およびランダムアクセスチャネルの送信状況などに基づいて予め割り当てた特定の下りリンクキャリア要素に対応する適切なランダムアクセスリソースでＣｏｎｔｅｎｔｉｏｎ  ｂａｓｅｄ  Ｒａｎｄｏｍ  Ａｃｃｅｓｓを行なうことができる。
【００９５】
また、ランダムアクセス処理部２０１２は、選択したシグネチャを含むプリアンブルをプリアンブル生成部２０７が生成するよう、制御部２０３に制御情報を出力し、選択したランダムアクセスチャネルの無線リソースで送信処理部２０９がプリアンブルを送信するよう、制御部２０３に制御情報を出力する。
【００９６】
ランダムアクセス処理部２０１２は、プリアンブルを送信した無線リソースに対応するＲＡ−ＲＮＴＩを算出する。また、ランダムアクセス処理部２０１２は、プリアンブルを送信してから予め定められた期間であるランダムアクセスレスポンス受信期間、プリアンブルを送信した上りリンクキャリア要素とペアの下りリンクキャリア要素で、算出したＲＡ−ＲＮＴＩを含む下りリンクグラントを、受信処理部２０５が監視するよう、制御部２０３に制御情報を出力する。
【００９７】
ランダムアクセス処理部２０１２は、基地局装置３からシグネチャの番号を指定されている場合、算出したＲＡ−ＲＮＴＩを含む下りリンクグラントが無線リソースの割り当てを示すランダムアクセスレスポンスにおいて、基地局装置３から指定されたシグネチャの番号が含まれていた際にランダムアクセスに成功した判定し、ランダムアクセス処理に関する処理を終了する。
【００９８】
ランダムアクセス処理部２０１３は、基地局装置３からシグネチャの番号を指定されていない場合、算出したＲＡ−ＲＮＴＩを含む下りリンクグラントが無線リソースの割り当てを示すランダムアクセスレスポンスから、自装置が送信したプリアンブルに含まれるシグネチャの番号を検出し、検出したシグネチャの番号に対応する、同期タイミングのずれ量とＴｅｍｐｏｒａｒｙ  Ｃ−ＲＮＴＩとメッセージ３の無線リソースの割り当てを示す上りリンクグラントを取得する。また、ランダムアクセス処理部２０１２は、同期タイミングのずれ量に基づき、送信処理部２０９の上りリンクの信号の送信タイミングを調整するよう、制御部２０３に制御情報を出力する。
【００９９】
また、ランダムアクセス処理部２０１２は、ランダムアクセスレスポンスに含まれる自装置宛ての上りリンクグラントを無線リソース制御部２０１１に出力する。また、ランダムアクセス処理部２０１２は、基地局装置３に割り当てられたＣ−ＲＮＴＩ、または接続要求などの情報を含むメッセージ３を生成するよう、無線リソース制御部２０１１に制御情報を出力する。
【０１００】
ランダムアクセス処理部２０１２は、メッセージ３を送信してから予め定められた期間であるコンテンションレゾリューション受信期間、基地局装置３に割り当てられた下りリンクキャリア要素でコンテンションレゾリューションの監視をし、下りリンクキャリア要素でコンテンションレゾリューションを検出した場合、ランダムアクセスに成功したと判定し、ランダムアクセスに関する処理を終了する。
【０１０１】
制御部２０３は、上位層処理部２０１からの制御情報に基づいて、受信処理部２０５、プリアンブル生成部２０７、および送信処理部２０９の制御を行なう制御信号を生成する。制御部２０３は、生成した制御信号を受信処理部２０５、プリアンブル生成部２０７、および送信処理部２０９に出力して受信処理部２０５、プリアンブル生成部２０７、および送信処理部２０９の制御を行なう。
【０１０２】
受信処理部２０５は、制御部２０３から入力された制御信号に従って、受信アンテナを介して基地局装置３から受信した受信信号を、復調、復号し、復号した情報を上位層処理部２０１に出力する。また、受信処理部２０５は、検出した下りリンクリファレンスシグナルの受信品質等に基づいて、チャネル品質情報を生成し、上位層処理部２０１、および送信処理部２０９に出力する。
【０１０３】
具体的には、受信処理部２０５は、各受信アンテナを介して受信した各上りリンクキャリア要素の信号を、中間周波数に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。受信処理部２０５は、変換したディジタル信号からガードインターバルに相当する部分を除去する。受信処理部２０５は、ガードインターバルを除去した信号に対して高速フーリエ変換を行い、周波数領域の信号を抽出する。
【０１０４】
受信処理部２０５は、抽出した信号を下りリンクキャリア要素毎に、下りリンク制御チャネル、下りリンク共用チャネル、および下りリンクリファレンスシグナルに配置された信号に、それぞれ分離する。尚、この分離は、下りリンクグラントで通知された無線リソースの割り当て情報などに基づいて行われる。また、受信処理部２０５は、分離した下りリンクリファレンスシグナルから伝搬路の推定値を求め、下りリンク制御チャネルと下りリンク共用チャネルの伝搬路の補償を行なう。また、受信処理部２０５は、分離した下りリンクリファレンスシグナルの受信品質等に基づいて、チャネル品質情報を生成し、上位層処理部２０１、および送信処理部２０９に出力する。
【０１０５】
受信処理部２０５は、下りリンク制御チャネルに対して、ＱＰＳＫ変調方式の復調を行ない、自装置が基地局装置３に割り当てられたＣ−ＲＮＴＩを含む下りリンクグラントと上りリンクグラント、および自装置がプリアンブルを送信したランダムアクセスチャネルの無線リソースに対応するＲＡ−ＲＮＴＩを含む下りリンクグラントを監視し、復号を試みる。受信処理部２０５は、下りリンク制御チャネルの復号に成功した場合、復号した下りリンク制御情報を上位層処理部２０１に出力する。受信処理部２０５は、下りリンク共用チャネルに対して、ＱＰＳＫ、１６ＱＡＭ、６４ＱＡＭ等の下りリンクグラントで通知された変調方式の復調を行ない、下りリンクグラントで通知された符号化率に対する復号を行い、復号したデータ情報を上位層処理部２０１へ出力する。
【０１０６】
プリアンブル生成部２０７は、制御部２０３から入力された制御信号に従って、ランダムアクセス処理部２０１２が選択したシグネチャを含んだプリアンブルを生成し、送信処理部２０９に出力する。
【０１０７】
送信処理部２０９は、制御部２０３から入力された制御信号に従って、上りリンクリファレンスシグナルを生成し、上位層処理部２０１から入力されたデータ情報、および受信処理部２０５から入力されたチャネル品質情報、を符号化および変調し、上りリンク共用チャネル、および上りリンク制御チャネルに配置し、生成した上りリンクリファレンスシグナルと多重して、送信アンテナを介して基地局装置３に送信する。また、送信処理部２０９は、制御部２０３から入力された制御信号に従って、プリアンブル生成部２０７から入力されたプリアンブルを、ランダムアクセスチャネルに配置し、送信アンテナを介して基地局装置３に送信する。
【０１０８】
具体的には、送信処理部２０９は、上位層処理部２０１と受信処理部２０５から入力された各上りリンクキャリア要素の上りリンク制御情報、およびデータ情報を、制御部２０３から入力された制御信号に従って、ターボ符号化、畳込み符号化、ブロック符号化等の符号化を行い、符号化ビットをＢＰＳＫ、ＱＰＳＫ、１６ＱＡＭ、６４ＱＡＭ等の変調方式で変調する。
【０１０９】
送信処理部２０９は、基地局装置３を識別するためのセル識別子などを基に予め定められた規則で求まる、基地局装置３が既知の系列を上りリンクリファレンスシグナルとして生成する。送信処理部２０９は、上りリンク制御チャネルの変調シンボルを符号で拡散し、上りリンク共用チャネルの変調シンボルを並列に並び替えてから離散フーリエ変換（Discrete Fourier Transform; DFT）し、生成した上りリンクリファレンスシグナルと多重する。また、送信処理部２０９は、プリアンブル生成部２０７から入力されたプリアンブルを、ランダムアクセスチャネルに配置する。
【０１１０】
送信処理部２０９は、多重した信号を逆高速フーリエ変換して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート）し、余分な周波数成分を除去し、電力増幅し、送信アンテナに出力して送信する。
【０１１１】
以下、無線通信システムの動作について説明をする。図８は、本実施形態に係る下りリンク制御チャネルとランダムアクセスチャネルの関係を示す概念図である。図８は、基地局装置３が移動局装置１に３つの下りリンクキャリア要素（DCC-1、DCC-2、DCC-3）と３つの上りリンクキャリア要素（UCC-1、UCC-2、UCC-3）を割り当て、ランダムアクセスチャネルの開始を指示する下りリンク制御チャネルが対応する上りリンクキャリア要素としてＵＣＣ−２を割り当てた場合を示す。
【０１１２】
図８において、基地局装置３は移動局装置１に、ランダムアクセス処理を開始することができるランダムアクセスチャネルとしてＤＣＣ−２が対応するＵＣＣ−２のランダムアクセスチャネルを通知する。また、基地局装置３は移動局装置１にＵＣＣ−２のランダムアクセスチャネルの無線リソースとシグネチャの番号を割り当て、割り当てたランダムアクセスチャネルとシグネチャの番号を示す情報を含むランダムアクセス処理の開始を指示する下りリンク制御チャネルを、移動局装置１に割り当てた下りリンクキャリア要素（DCC-1、DCC-2、DCC-3）の内、いずれか１つの下りリンクキャリア要素で送信する。
【０１１３】
移動局装置１は、基地局装置３に割り当てられた下りリンクキャリア要素（DCC-1、DCC-2、DCC-3）の内、いずれか１つの下りリンクキャリア要素でランダムアクセス処理の開始を指示する下りリンク制御チャネルを受信した場合、基地局装置３から通知されたＵＣＣ−２のランダムアクセスチャネルの中から当該下りリンク制御チャネルが示すランダムアクセスチャネルの無線リソースとシグネチャを用いてプリアンブル（メッセージ１）を送信する。
【０１１４】
図９は、本実施形態に係る基地局装置３の動作の一例を示すフロー図である。基地局装置３は、移動局装置１に下りリンク共用チャネルを送信する可能性のある下りリンクキャリア要素と上りリンク共用チャネルの無線リソースを割り当てる可能性のある上りリンクキャリア要素を割り当てる（ステップＳ１０）。基地局装置３は、移動局装置１にランダムアクセス処理を開始することができる特定の下りリンクキャリア要素に対応するランダムアクセスチャネルを割り当て、当該割り当てを示す情報を移動局装置１に通知する（ステップS１１）。基地局装置３は、移動局装置１にランダムアクセス処理の開始を指示する下りリンク制御チャネルをいずれか１つの下りリンクキャリア要素で送信する（ステップＳ１２）。ステップＳ１２の後、基地局装置３は、ランダムアクセス処理の開始を指示する下りリンク制御チャネルの送信に関する処理を終了する。
【０１１５】
図１０は、本実施形態に係る移動局装置１の動作の一例を示すフロー図である。移動局装置１は、基地局装置３から下りリンク共用チャネルを送信される可能性のある下りリンクキャリア要素と上りリンク共用チャネルの無線リソースを割り当てられる可能性のある上りリンクキャリア要素を割り当てられる（ステップＳ２０）。移動局装置１は、基地局装置３から割り当てられたランダムアクセス処理を開始することができる特定の下りリンクキャリア要素に対応するランダムアクセスチャネルを示す情報を通知される（ステップＳ２１）。
【０１１６】
移動局装置１は、ランダムアクセス処理の開始を指示する下りリンク制御チャネルを、ステップＳ２０で割り当てられた下りリンクキャリア要素の内、いずれか１つの下りリンクキャリア要素で受信する（ステップＳ２２）。移動局装置１は、ステップＳ２１で割り当てられたランダムアクセス処理を開始することができる特定の下りリンクキャリア要素に対応するランダムアクセスチャネルでランダムアクセス処理を開始する（ステップＳ２３）。ステップＳ２３の後、移動局装置１は、ランダムアクセス処理の開始を指示する下りリンク制御チャネルの受信に関する処理を終了する。
【０１１７】
尚、本発明の第１の実施形態では、基地局装置３と移動局装置１が、ランダムアクセスのメッセージの一部、または全部を送受信する下りリンクキャリア要素と上りリンクキャリア要素はペアとなっているため、基地局装置３が移動局装置１にランダムアクセス処理を開始することができる特定の下りリンクキャリア要素に対応するランダムアクセスチャネルを割り当てることは、換言すると基地局装置３が移動局装置１に、ランダムアクセス処理の通信を行なうことができる下りリンクキャリア要素と上りリンクキャリア要素を割り当てることであり、また基地局装置３が移動局装置１に、ランダムアクセス処理の通信を行うことができる下りリンクキャリア要素、または上りリンクキャリア要素を割り当てることである。
【０１１８】
このように、本発明の第１の実施形態によれば、無線通信システムは、基地局装置３と少なくとも一つの移動局装置１とが、相互に異なる周波数帯域で定められる複数のキャリア要素を使用して通信を行なう無線通信システムであって、基地局装置３は、移動局装置１に設定した下りリンクキャリア要素各々に対応するランダムアクセスリソースの中から移動局装置１がランダムアクセスの通信を開始できる特定の下りリンクキャリア要素に対応するランダムアクセスリソースを予め割り当て、移動局装置１に設定した複数の下りリンクキャリア要素の中から任意の１つの下りリンクキャリア要素でランダムアクセス処理の開始を指示する下りリンク制御チャネル（制御情報）を送信し、移動局装置１は、いずれかの下りリンクキャリア要素でランダムアクセス処理の開始を指示する下りリンク制御チャネル（制御情報）を受信した場合、基地局装置３に予め割り当てられた特定の下りリンクキャリア要素に対応するランダムアクセスリソースでランダムアクセス処理を開始する。
【０１１９】
これにより、従来技術におけるランダムアクセス処理の開始を指示する下りリンク制御チャネルの構成を変えることなく、移動局装置１は、基地局装置３から割り当てられた複数の下りリンクのキャリア要素の内、いずれか１つの下りリンクキャリア要素で受信するランダムアクセス処理の開始を指示する下りリンク制御チャネルが、予め割り当てられた特定の下りリンクキャリア要素に対応するランダムアクセスリソースに対してランダムアクセス処理の開始を指示していることを判別することができる。また、基地局装置１は、移動局装置３に割り当てた複数の下りリンクキャリア要素のチャネル品質や下りリンク制御チャネルのオーバーヘッドなどに基づいて、ランダムアクセス処理の開始を指示する下りリンク制御チャネルを配置する下りリンクキャリア要素を柔軟に選択することができる。
【０１２０】
（第２の実施形態）
以下、本発明の第２の実施形態について図面を参照して説明する。
【０１２１】
本発明の第２の実施形態では、基地局装置が、移動局装置に割り当てた複数の下りリンクキャリア要素に対応するランダムアクセスチャネルの無線リソースの中から、移動局装置にランダムアクセスチャネル処理の開始を指示する任意の１つのランダムアクセスチャネルを選択し、選択したランダムアクセスチャネルがいずれの下りリンクキャリア要素に対応するかを、ランダムアクセス処理の開始を指示する下りリンク制御チャネルを送信する下りリンクキャリア要素によって移動局装置１に示す場合について説明する。
【０１２２】
本実施形態に係る無線通信システムと第１の実施形態に係る無線通信システムとを比較すると、移動局装置の上位層処理部および基地局装置の上位層処理部が異なる。しかし、他の構成要素が持つ構成および機能は、第１の実施形態と同じであるので、第１の実施形態と同じ機能についての説明は省略する。以下、本実施形態に係る移動局装置を移動局装置５といい、基地局装置を基地局装置７という。
【０１２３】
図１１は、本発明の第２の実施形態に係る基地局装置７の構成を示す概略ブロック図である。本実施形態に係る上位層処理部３０１（図１１）と第１の実施形態に係る上位層処理部１０１（図６）とを比較すると、無線リソース制御部３０１１、ランダムアクセス制御部３０１２が異なる。
【０１２４】
以下、基地局装置７の上位層処理部３０１の処理について説明する。上位層処理部３０１１は、下りリンクキャリア要素毎のデータ情報を、送信処理部１１１に出力する。また、上位層処理部３０１は、パケットデータ統合プロトコル層、無線リンク制御層、無線リソース制御層の処理を行なう。上位層処理部３０１の無線リソース制御部３０１１は、移動局装置５各々の各種設定情報、通信状態、および、バッファ状況の管理などを行っている。上位層処理部３０１のランダムアクセス制御部３０１２は、移動局装置５各々のランダムアクセスに関する制御を行なっている。
【０１２５】
本実施形態に係る無線リソース制御部３０１１と第１の実施形態に係る無線リソース制御部１０１１を比較すると、無線リソース制御部３０１１は、ランダムアクセス制御部３０１２からの制御情報に基づいて、１つの下りリンクキャリア要素を選択し、選択した下りリンクキャリア要素でランダムアクセス処理の開始を指示する下りリンク制御チャネルを、送信処理部１１１を介して移動局装置１に送信することが異なる。本実施形態に係る無線リソース制御部３０１１が持つ他の機能は、第１の実施形態に係る無線リソース制御部１０１１と同じであるので、第１の実施形態と同じ機能についての説明は省略する。
【０１２６】
ランダムアクセス制御部３０１２は、ランダムアクセスのメッセージの一部、または全部を送受信する上りリンクキャリア要素と下りリンクキャリア要素のペア、ランダムアクセスチャネルの構成（ランダムアクセスチャネルの無線リソースの割り当てなど）、ランダムアクセスの送信状況を示す情報（ランダムアクセス負荷）に加えてランダムアクセス処理の開始を指示する下りリンク制御チャネルを送信する下りリンクキャリア要素とランダムアクセス処理の開始を指示される下りリンクキャリア要素に対応するランダムアクセスチャネルのペアなどのランダムアクセスに関する情報を含む報知情報を生成し、送信処理部１１１を介して移動局装置１に送信するよう、無線リソース制御部３０１１に制御情報を出力する。
【０１２７】
ランダムアクセス制御部３０１２は、移動局装置５に送信するデータ情報があるが、基地局装置７と移動局装置５間の同期がはずれている場合などに、移動局装置５にランダムアクセス処理の開始を指示することを決定する。また、ランダムアクセス制御部は、移動局装置５に、ランダムアクセスの送信状況や上りリンクキャリア要素のチャネル品質などに基づいてランダムアクセス処理の開始を指示する上りリンクキャリア要素を選択し、選択した上りリンクキャリア要素内のランダムアクセスチャネルの無線リソースとシグネチャを割り当てる。
【０１２８】
ランダムアクセス制御部３０１２は、移動局装置５にランダムアクセス処理の開始を指示する下りリンク制御チャネルを生成し、ランダムアクセス処理の開始を指示する上りリンクキャリア要素のランダムアクセスチャネルに対応する下りリンクキャリア要素で当該下りリンク制御チャネルを、送信処理部１１１を介して移動局装置５に送信するよう、無線リソース制御部３０１１に制御情報を出力する。
【０１２９】
また、本実施形態に係るランダムアクセス制御部３０１２は、第１の実施形態に係るランダムアクセス制御部１０１２が持つ、ランダムアクセスの送信状況や上りリンクキャリア要素のチャネル品質などに基づいて移動局装置１各々にランダムアクセス処理を開始することができる特定の下りリンクキャリア要素に対応するランダムアクセスチャネルを設定し、設定した特定の下りリンクキャリア要素を示す情報を生成し、当該情報を無線リソース制御信号などに含め、送信処理部１１１を介して移動局装置１各々に送信するよう、無線リソース制御部１０１１に制御情報を出力する機能を持たない。本実施形態に係る無線リソース制御部３０１１が持つ他の機能は、第１の実施形態に係る無線リソース制御部１０１１と同じであるので、第１の実施形態と同じ機能についての説明は省略する。
【０１３０】
図１２は、本発明の第２の実施形態に係る移動局装置５の構成を示す概略ブロック図である。本実施形態に係る上位層処理部４０１（図１２）と第１の実施形態に係る上位層処理部２０１（図７）とを比較するとランダムアクセス制御部４０１２が異なる。
【０１３１】
上位層処理部４０１は、ユーザの操作等により生成された上りリンクキャリア要素毎のデータ情報を、送信処理部２０９に出力する。また、上位層処理部４０１は、パケットデータ統合プロトコル層、無線リンク制御層、無線リソース制御層の処理を行なう。上位層処理部４０１のランダムアクセス処理部４０１２は、自装置のランダムアクセスに関する制御を行なっている。
【０１３２】
上記の処理において、上位層処理部４０１が備えるランダムアクセス処理部４０１２は、自装置が基地局装置３からランダムアクセス処理の開始を指示する下りリンク制御チャネルを受信した場合、および上りリンクで送信するデータ情報があるが、基地局装置３から上りリンクの無線リソースを割り当てられていない場合、ランダムアクセス処理を開始する。
【０１３３】
ランダムアクセス処理部４０１２は、いずれか１つの下りリンクキャリア要素でランダムアクセス処理の開始を指示する下りリンク制御チャネルを受信した場合、当該下りリンク制御チャネルを受信した下りリンクキャリア要素が対応するランダムアクセスチャネルの無線リソースでランダムアクセス処理の開始を指示されたと判断する。また、ランダムアクセス処理部４０１２は、当該下りリンク制御チャネルで指定されたシグネチャの番号と、ランダムアクセスチャネルの無線リソースを選択する。
【０１３４】
また、ランダムアクセス処理部４０１２は、ランダムアクセス処理の開始を指示する下りリンク制御チャネルでシグネチャの番号とランダムアクセスチャネルの無線リソースを指定されていない場合、またはランダムアクセス処理部４０１２がランダムアクセス処理の開始を決定した場合、上りリンクキャリア要素と、上りリンクキャリア要素内のランダムアクセスチャネルの無線リソースをランダムに選択する。更に、ランダムアクセス処理部４０１２は、下りリンクキャリア要素のチャネル品質の情報などから、選択するＣｏｎｔｅｎｔｉｏｎ  ｂａｓｅｄ  Ｒａｎｄｏｍ  Ａｃｃｅｓｓ用のシグネチャの範囲を決定し、選択したシグネチャの範囲の中からシグネチャをランダムに選択する。これにより、移動局装置５は、Ｃｏｎｔｅｎｔｉｏｎ  ｂａｓｅｄ  Ｒａｎｄｏｍ  Ａｃｃｅｓｓを行なうランダムアクセスリソースを、基地局装置７に割り当てられた全ての下りリンクキャリア要素に対応するランダムアクセスリソースの中から選択するので、複数の移動局装置５が選択するランダムアクセスリソースが分散され、複数の移動局装置が同じランダムアクセスリソースおよびシグネチャの番号を選ぶ確率を低くすることができる。
【０１３５】
また、本実施形態に係るランダムアクセス処理部４０１２は、第１の実施形態に係るランダムアクセス処理部２０１２が持つ、ランダムアクセス処理を開始することができる特定の下りリンクキャリア要素に対応するランダムアクセスチャネルを示す情報を管理する機能を持たない。本実施形態に係るランダムアクセス処理部４０１２が持つ他の機能は、第１の実施形態に係るランダムアクセス処理部２０１２と同じであるので、第１の実施形態と同じ機能についての説明は省略する。
【０１３６】
以下、無線通信システムの動作について説明をする。図１３は、本実施形態に係る下りリンク制御チャネルとランダムアクセスチャネルの関係を示す概念図である。図１３は、基地局装置７が移動局装置５に３つの下りリンクキャリア要素（DCC-1、DCC-2、DCC-3）と３つの上りリンクキャリア要素（UCC-1、UCC-2、UCC-3）を割り当て、ランダムアクセス処理の開始を指示する下りリンク制御チャネルを送信する下りリンクキャリア要素とランダムアクセス処理の開始を指示されるランダムアクセスチャネルを含む上りリンクキャリア要素のペアとして、ＤＣＣ−１とＵＣＣ−１、ＤＣＣ−２とＵＣＣ−２、ＤＣＣ−３とＵＣＣ３がペアであることを通知する場合を示す。
【０１３７】
図１３において、基地局装置７は、移動局装置５にＵＣＣ１、ＵＣＣ−２またはＵＣＣ−３のランダムアクセスチャネルの無線リソースとシグネチャの番号を割り当て、ランダムアクセス処理の開始を指示する下りリンク制御チャネルを、移動局装置１に割り当てたランダムアクセスチャネルの無線リソースが対応する下りリンクキャリア要素（DCC-1、DCC-2、DCC-3）で送信する。
【０１３８】
移動局装置５は、基地局装置７に割り当てられた下りリンクキャリア要素（DCC-1、DCC-2、DCC-3）の内、いずれかの下りリンクキャリア要素でランダムアクセス処理の開始を指示する下りリンク制御チャネルを受信した場合、当該下りリンク制御チャネルを受信した下りリンクキャリア要素（DCC-1、DCC-2、DCC-3）に対応するランダムアクセスチャネルを選択し、選択した上りリンクキャリア要素で当該下りリンク制御チャネルが示すランダムアクセスチャネルの無線リソースとシグネチャを用いてプリアンブル（メッセージ１）を送信する。
【０１３９】
図１４は、本実施形態に係る基地局装置７の動作の一例を示すフロー図である。基地局装置７は、移動局装置５に下りリンク共用チャネルを送信する可能性のある下りリンクキャリア要素と上りリンク共用チャネルの無線リソースを割り当てる可能性のある上りリンクキャリア要素を割り当てる（ステップＳ３０）。基地局装置７は、移動局装置５にランダムアクセス処理の開始を指示する下りリンク制御チャネルを送信する下りリンクキャリア要素とランダムアクセス処理の開始を指示される下りリンクキャリア要素に対応するランダムアクセスチャネルのペアを示す情報を報知する（ステップS３１）。
【０１４０】
基地局装置７は、移動局装置５にランダムアクセス処理を開始させるランダムアクセスチャネルを選択する（ステップS３２）。基地局装置７は、移動局装置５にステップS３２で選択したランダムアクセスチャネルに対応する下りリンクキャリア要素でランダムアクセス処理の開始を指示する下りリンク制御チャネルを送信する（ステップS３３）。ステップＳ３３の後、基地局装置７は、ランダムアクセス処理の開始を指示する下りリンク制御チャネルの送信に関する処理を終了する。
【０１４１】
図１５は、本実施形態に係る移動局装置５の動作の一例を示すフロー図である。移動局装置５は、基地局装置７から下りリンク共用チャネルを送信される可能性のある下りリンクキャリア要素と上りリンク共用チャネルの無線リソースを割り当てられる可能性のある上りリンクキャリア要素を割り当てられる（ステップＳ４０）。移動局装置５は、ランダムアクセス処理の開始を指示する下りリンク制御チャネルを送信する下りリンクキャリア要素とランダムアクセス処理の開始を指示される下りリンクキャリア要素に対応するランダムアクセスチャネルのペアを示す情報を基地局装置７から取得するステップ（Ｓ４１）。
【０１４２】
移動局装置５は、ランダムアクセス処理の開始を指示する下りリンク制御チャネルを、ステップＳ４０で割り当てられた下りリンクキャリア要素の内、いずれか１つの下りリンクキャリア要素で受信する（ステップＳ４２）。移動局装置５は、ランダムアクセス処理の開始を指示する下りリンク制御チャネルを受信した際に、ステップＳ４１で取得した情報に従い、当該下りリンク制御チャネルを受信した下りリンクキャリア要素に対応するランダムアクセスチャネルでのランダムアクセス処理の開始を指示されたと判定し、当該ランダムアクセスチャネルでランダムアクセス処理を開始する（ステップＳ４３）。ステップＳ４３の後、移動局装置５は、ランダムアクセス処理の開始を指示する下りリンク制御チャネルの受信に関する処理を終了する。
【０１４３】
尚、本発明の第２の実施形態では、基地局装置７がメッセージの一部、または全部を送受信する上りリンクキャリア要素と下りリンクキャリア要素のペアを示す情報と、ランダムアクセス処理の開始を指示する下りリンク制御チャネルを送信する下りリンクキャリア要素とランダムアクセス処理の開始を指示される下りリンクキャリア要素に対応するランダムアクセスチャネルのペアを示す情報を送信するが、メッセージの一部、または全部を送受信する上りリンクキャリア要素と下りリンクキャリア要素のペアとランダムアクセス処理の開始を指示する下りリンク制御チャネルを送信する下りリンクキャリア要素とランダムアクセス処理の開始を指示される下りリンクキャリア要素に対応するランダムアクセスチャネルのペアを共通にしてもよい。これにより、移動局装置５はいずれかの下りリンクキャリア要素でランダムアクセス処理の開始を指示する下りリンク制御チャネルを受信した際、当該下りリンクキャリア要素に対応するランダムアクセスチャネルでランダムアクセス処理の開始を指示されたと判定すればよく、基地局装置７が報知する情報量を減らすことができる。
【０１４４】
このように、本発明の第２の実施形態によれば、無線通信システムは、基地局装置７と少なくとも一つの移動局装置５とが、相互に異なる周波数帯域で定められる複数のキャリア要素を使用して通信を行なう無線通信システムであって、基地局装置７は、移動局装置５に設定した下りリンクキャリア要素各々に対応するランダムアクセスリソースの中から移動局装置５にランダムアクセスの通信を開始させるランダムアクセスリソースを選択し、選択したランダムアクセスリソースに対応する下りリンクキャリア要素でランダムアクセス処理の開始を指示する下りリンク制御チャネル（制御情報）を送信し、移動局装置７は、いずれかの下りリンクキャリア要素でランダムアクセス処理の開始を指示する下りリンク制御チャネル（制御情報）を受信した場合、当該下りリンク制御チャネル（制御情報）を受信した下りリンクキャリア要素に対応するランダムアクセスリソースでランダムアクセス処理を開始する。
【０１４５】
これにより、従来技術におけるランダムアクセス処理の開始を指示する下りリンク制御チャネルの構成を変えることなく、移動局装置５は、基地局装置７から割り当てられた複数の下りリンクのキャリア要素の内、いずれの下りリンクキャリア要素でランダムアクセス処理の開始を指示する下りリンク制御チャネルを受信したかに応じて、当該下りリンク制御チャネルがいずれの下りリンクキャリア要素に対応するランダムアクセスリソースに対してランダムアクセス処理の開始を指示しているかを判別することができる。また、基地局装置３は、移動局装置１に割り当てた複数の上りリンクキャリア要素のチャネル品質やランダムアクセスチャネルの送信状況（ランダムアクセス負荷）などに基づいて、ランダムアクセス処理の開始を指示する上りリンクキャリア要素を柔軟に選択することができる。
【０１４６】
尚、本発明の第１の実施形態および第２の実施形態では、下りリンクキャリア要素各々は異なる上りリンクキャリア要素内のランダムアクセスチャネルと対応しいていたが、複数の下りリンクキャリア要素が同じ上りリンクキャリア要素内の異なるランダムアクセスチャネルと対応してもよいし、複数の下りリンクキャリア要素が同じ上りリンクキャリア要素内の同じランダムアクセスチャネルと対応してもよい。この場合、複数の下りリンクキャリア要素のランダムアクセス送信に関する情報に含まれる、下りリンクキャリア要素とペアになっている上りリンクキャリア要素を示す情報、または下りリンクキャリア要素が対応するランダムアクセスチャネルの構成が同じとなる。
【０１４７】
本発明に関わる基地局装置３、７、および移動局装置１、５で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１４８】
尚、上述した実施形態における移動局装置１、５、基地局装置３、７の一部、または全部をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。尚、ここでいう「コンピュータシステム」とは、移動局装置１、５、または基地局装置３、７に内蔵されたコンピュータシステムであって、ＯＳや周辺機器等のハードウェアを含むものとする。
【０１４９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１５０】
また、上述した実施形態における移動局装置１、５、基地局装置３、７の一部、または全部を典型的には集積回路であるＬＳＩとして実現してもよい。移動局装置１、５、基地局装置３、７の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１５１】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１５２】
１、１Ａ−１Ｃ、５  移動局装置
３、７  基地局装置
１０１、３０１  上位層処理部
１０３  プリアンブル検出部
１０５  同期タイミング測定部
１０７  制御部
１０９  受信処理部
１１１  送信処理部
２０１、４０１  上位層処理部
２０３  制御部
２０５  受信処理部
２０７  プリアンブル生成部
２０９  送信処理部
１０１１、３０１１  無線リソース制御部
１０１２、３０１２  ランダムアクセス制御部
２０１１  無線リソース制御部
２０１２、４０１２  ランダムアクセス処理部
【図１】
0005542998.tif 000002
【図２】
0005542998.tif 000003
【図３】
0005542998.tif 000004
【図４】
0005542998.tif 000005
【図５】
0005542998.tif 000006
【図６】
0005542998.tif 000007
【図７】
0005542998.tif 000008
【図８】
0005542998.tif 000009
【図９】
0005542998.tif 000010
【図１０】
0005542998.tif 000011
【図１１】
0005542998.tif 000012
【図１２】
0005542998.tif 000013
【図１３】
0005542998.tif 000014
【図１４】
0005542998.tif 000015
【図１５】
0005542998.tif 000016
【図１６】
0005542998.tif 000017
【図１７】
0005542998.tif 000018